(57)【特許請求の範囲】
【請求項１】
ＰＳＴＮ網とＩＰ網とに接続可能であり、しかもファクシミリ装置と接続するアナログポートを具備するインターネットファクシミリアダプタにおいて、
上記ＩＰ網からの着信による通信内容が、通話であるか、ＦＡＸ通信であるかを判別する判別手段と；
上記ＩＰ網からの着信による通信内容が、通話であれば、上記ＰＳＴＮ網の通常の呼び出し信号を送出し、上記ＩＰ網からの着信による通信内容が、ＦＡＸ通信であれば、上記ＰＳＴＮ網の通常の呼び出し信号とは異なる呼び出し信号で呼び出す呼び出し手段と；
を有することを特徴とするインターネットファクシミリアダプタ。
【請求項２】
請求項１において、
上記ＰＳＴＮ網の通常の呼び出し信号とは異なる呼び出し信号は、１３００Ｈｚの無鳴動呼び出し信号またはダブルリングであることを特徴とするインターネットファクシミリアダプタ。
【請求項３】
ＰＳＴＮ網とＩＰ網とに接続可能であり、しかもファクシミリ装置と接続するアナログポートを具備するインターネットファクシミリアダプタにおける呼び出し信号発生方法において、
上記ＩＰ網からの着信による通信内容が、通話であるか、ＦＡＸ通信であるかを判別する判別段階と；
上記ＩＰ網からの着信による通信内容が、通話であれば、上記ＰＳＴＮ網の通常の呼び出し信号を送出し、上記ＩＰ網からの着信による通信内容が、ＦＡＸ通信であれば、上記ＰＳＴＮ網の通常の呼び出し信号とは異なる呼び出し信号で呼び出す呼び出し段階と；
を有することを特徴とするインターネットファクシミリアダプタにおける呼び出し信号発生方法。
【請求項４】
請求項３において、
上記ＰＳＴＮ網の通常の呼び出し信号とは異なる呼び出し信号は、１３００Ｈｚの無鳴動呼び出し信号またはダブルリングであることを特徴とするインターネットファクシミリアダプタにおける呼び出し信号発生方法。
【発明の詳細な説明】
【０００１】
【発明の属する技術分野】
本発明は、ＰＳＴＮ網とＩＰ網とに接続可能であり、しかもアナログポートを有するインターネットファクシミリアダプタ装置と、上記アナログポートに接続されているファクシミリ装置とを具備するインターネットファクシミリ通信システムに関する。
【０００２】
【従来の技術】
近年、ＩＰ網を介して、音声や映像を通信する規格として、ＩＴＵ−Ｔは、Ｈ．３２３という勧告が制定されている。また、同じくＩＰ網を使用してリアルタイムでファクシミリ通信を行う勧告として、ＩＴＵ−Ｔは、Ｔ．３８を勧告化した。
【０００３】
これを受けて、Ｈ．３２３とＴ．３８勧告とに準拠したアダプタが商品化されている。
【０００４】
このＨ．３２３とＴ．３８勧告とに準拠したアダプタは、ＩＰ網へ接続するポートと、電話機やファクシミリ装置を接続するアナログポートとを備えたアダプタであり、ＩＰ網から着信した場合、通話であれば、Ｈ．３２３勧告で規定された符号化方式に従って、音声の符号化／復号化を行い、電話機に伝え、ファクシミリ通信であれば、Ｔ．３８勧告に従って行われる通信を、Ｔ．３０勧告の方式に変換し、ファクシミリ装置へ伝える。
【０００５】
この種のアダプタの多くは、ＩＰ網へ接続するポートを有するとともに、ＰＳＴＮ網へ接続するポートをも有していることが普通である。
【０００６】
つまり、ＩＰ網接続だけでは、ＰＳＴＮ網へ接続された電話機やファクシミリ装置と通話／通信することができないので、必要に応じて、使用する回線を切り替えて使用する。
【０００７】
【発明が解決しようとする課題】
ファクシミリ装置は、本来、ＰＳＴＮ網に接続されるべきものであり、この場合、着信の時点では、その通信内容が通話であるのかＦＡＸ通信であるのかを判断できない。一方で、１本の電話線を、電話とファクシミリ装置とで兼用したいというニーズもあるので、多くのファクシミリ装置は、「ＴＥＬモード」、「ＦＡＸモード」、「ＦＡＸ／ＴＥＬ切り替えモード」等、複数の動作モードを備え、必要に応じて、モードを選択して使用する。
【０００８】
ここで、上記「ＴＥＬモード」は、ＦＡＸの着信に、自動応答せず、常に電話で着信し、その後に、必要に応じて手動でファクシミリ装置を起動するモードである。「ＦＡＸモード」は、ＦＡＸの着信に、ファクシミリ装置が自動的に応答し、ＦＡＸ通信を開始するモードである。「ＦＡＸ／ＴＥＬ切り替えモード」は、ファクシミリ装置が着信した後に、相手が人間かファクシミリ装置かを判断し、人間であれば、電話機を呼び出し、ファクシミリ装置であれば、ＦＡＸ通信を開始するモードである。
【０００９】
一方、インターネットファクシミリの場合、通信内容がＶｏＩＰによる音声通話であるのか、Ｔ．３８に従うＦＡＸ通信であるのかを、事前にアダプタ側で知ることができる。
【００１０】
ところで、アダプタとファクシミリ装置との間は、通常、２線の電話線で接続されているだけであり、他のＩ／Ｆを有していないので、接続内容に関する付加的な情報を伝えることができず、ファクシミリ装置側の設定によっては、音声通話であると分かっている場合でも、ファクシミリ装置が応答したり、逆に、ＦＡＸ通信であると分かっている場合でも、電話で応答するという欠点がある。
【００１１】
この欠点を回避するために、アダプタとファクシミリ装置との間に、専用のＩ／Ｆを接続し、付加的な情報を通知することは、容易に可能であるが、専用のファクシミリ装置を製作することは、コストアップにつながり、またアダプタとファクシミリ装置との自由な組み合わせが不可能になり、選択の範囲を狭めるという問題がある。
【００１２】
本発明は、ＩＰ網から、明らかにＦＡＸ通信であると判別することができる着信を人間が受けたり、逆に、明らかに通話であると判別することができる着信をファクシミリ装置が受けることを阻止するとともに、通話であるかＦＡＸであるかを判別できない着信については、ＦＡＸの設定に従って、電話優先、ＦＡＸ優先、ＦＡＸ／ＴＥＬ自動切り替えを実行することができるインターネットファクシミリ通信システムを提供することを目的とするものである。
【００１３】
【課題を解決するための手段】
本発明は、ＰＳＴＮ網とＩＰ網とに接続可能であり、しかもファクシミリ装置と接続するアナログポートを具備するインターネットファクシミリアダプタにおいて、上記ＩＰ網からの着信による通信内容が、通話であるか、ＦＡＸ通信であるかを判別する判別手段と、上記ＩＰ網からの着信による通信内容が、通話であれば、上記ＰＳＴＮ網の通常の呼び出し信号を送出し、上記ＩＰ網からの着信による通信内容が、ＦＡＸ通信であれば、上記ＰＳＴＮ網の通常の呼び出し信号とは異なる呼び出し信号で呼び出す呼び出し手段とを有するインターネットファクシミリアダプタである。
【００１４】
【発明の実施の形態および実施例】
図１は、本発明の一実施例であるインターネットファクシミリ通信システム１００の構成を示すブロック図である。
【００１５】
インターネットファクシミリ通信システム１００において、インターネットファクシミリアダプタ装置１は、ＰＳＴＮ網と、ファクシミリ装置２と、電話機３と、ＰＣ４と、局交換機５と、ＩＰ網６とを接続するアダプタであり、ＩＰ網６へ接続するためにＩＰポートを有する。
【００１６】
また、アダプタ装置１は、ルーターとしての機能を有し、１２８Ｋｂｐｓ程度の回線で、ＩＰ網６へ直接接続するが、ルーターを分離し、この部分を、ルーターインタフェースにするようにしてもよい。この場合、インタフェースは、一般的な１００ＢＡＳＥ−Ｔ等を使用する。
【００１７】
また、アダプタ装置１は、ＰＳＴＮ網と接続するために、ＬＩＮＥポートを有する。ＰＳＴＮ網は、アナログの電話回線を想定しているが、ＩＳＤＮをＰＳＴＮ網として使用してもよい。
【００１８】
さらに、アダプタ装置１は、電話機３やファクシミリ装置２を接続するアナログポートを有し、このアナログポートは、アナログのＰＳＴＮと同等の電気的特性で電話等の端末を接続する。上記実施例において、アダプタ装置１が保有するアナログポートの数は１である。
【００１９】
さらに、アダプタ装置１は、ＰＣ等のネットワーク機器を接続するＬＡＮポートを有している。このＬＡＮポートは、上記実施例では、一般的な１００ＢＡＳＥ−Ｔのイーサネット（登録商標）を想定している。
【００２０】
通常のファクシミリ装置２は、アダプタ装置１のアナログポートに接続される。また、ファクシミリ装置２は、子電話を接続するＴＥＬポートを有している。
【００２１】
通常の電話機３は、上記実施例では、ファクシミリ装置２のＴＥＬポートに接続するものであるが、アダプタ装置１が複数のアナログポートを有する場合には、アダプタ装置１のアナログポートに直接接続するようにしてもよい。
【００２２】
ＰＣ４は、アダプタ装置１のＬＡＮポートに接続される。
【００２３】
この他に、ＰＳＴＮ網の局交換機５、ＩＰ網６が設けられている。
【００２４】
次に、上記実施例で使用する呼出信号の形式について説明する。
【００２５】
図２は、上記実施例で使用する呼出信号の形式の説明図である。
【００２６】
図２（１）には、第１の呼出信号ＣＩ１として、１３００Ｈｚのトーン信号である無鳴動呼出信号（Ｆ網の無鳴動呼出信号）と、ダブルリング（ＰＳＴＮ網で使用されている通常の呼出信号とは異なるシーケンスの呼出信号）とを示してある。
【００２７】
ダブルリングは、異なるシーケンスの呼出信号であり、振幅と周波数とは第２の呼出信号と同一であるが、３秒の１周期の中に、３００ｍｓのＯＮ、３００ｍｓのＯＦＦ、３００ｍｓのＯＮを持つものである。
【００２８】
図２（２）には、第２の呼出信号ＣＩ２を示してある。第２の呼出信号ＣＩ２の形式は、ＰＳＴＮ網で一般的に使用されている形式であり、日本の場合であれば、７５Ｖで１６Ｈｚの交流信号で、１周期が３秒間であり、この３秒間に１秒間のＯＮ時間を有する。
【００２９】
次に、上記実施例おけるアダプタ装置１の動作について説明する。
【００３０】
図３は、上記実施例におけるアダプタ装置１の動作を示すフローチャートである。
【００３１】
アダプタ装置１は、ＰＳＴＮとＩＰとの２つの回線Ｉ／Ｆポートを有しているので、待機状態では、双方の着信を監視している。
【００３２】
Ｓ３０１では、ＰＳＴＮの着信をチェックする。ここで着信があった場合、それが電話であるか、ファクシミリ装置であるかを判別できないので、Ｓ３０７へ進みアナログポートを、第２の呼出信号ＣＩ２で呼び出す。
【００３３】
Ｓ３０１では、ＰＳＴＮ着信がなければ、Ｓ３０２で、ＩＰ着信をチェックする。ここでも着信が無ければ、ステップＳ３０１に戻って繰り返す。
【００３４】
ＩＰ網６からの着信があった場合（Ｓ３０２）、Ｓ３０３では、それが音声通話のための着信か否かを調べる。音声通話である場合、Ｈ．３２３規格のフェーズＡ（呼設定）が始まるので、これで通信内容を確認することができる。ここで、音声通話であることが分かれば、Ｓ３０７へ進み、アナログポートを、第２の呼出信号ＣＩ２で呼び出す。
【００３５】
音声通話でなければ（Ｓ３０３）、Ｓ３０４では、ＦＡＸ通信であるか否かを調べる。ＦＡＸ通信である場合、これも、Ｈ．３２３のフェーズＡ（呼設定）の中で、Ｔ．３８のＦＡＸ通信を行うことが宣言されるので、ＦＡＸ通信であることを確認することができる。ここで、ＦＡＸ通信でなければ、ステップＳ３０５へ進み、ＬＡＮポートへ接続する。ＬＡＮの動作は、上記実施例の範囲外であるので、ここでは詳述しない。
【００３６】
Ｔ．３８準拠のＦＡＸ通信であることが確認できた場合（Ｓ３０４）、Ｓ３０６へ進み、アナログポートを、第１の呼出信号ＣＩ１で呼び出す。
【００３７】
この第１の呼出信号ＣＩ１は、Ｆ網の無鳴動呼出信号であり、すなわち１３００Ｈｚのトーンを想定しているが、ダブルリングであっても、同様である。
【００３８】
そして、ＦＡＸ通信を実行する（Ｓ３０８）。ＦＡＸ通信中のアダプタの動作は、Ｔ．３８勧告で述べられた通りであるので、ここでは詳述はしない。
【００３９】
第１の呼出信号ＣＩ１に、ＦＡＸが応答した後に、正常／異常を問わず通信が終了した場合、または、第１の呼出信号ＣＩ１にファクシミリ装置が応答しないまま、発呼元が呼を切断した場合、処理を終了し、先頭に戻る。
【００４０】
上記と同様に、アナログポートを第２の呼出信号ＣＩ２で呼び出した（Ｓ３０７）後は、通話を行う（Ｓ３０９）。この場合、アナログポートに応答があった後にアナログポートが開放されたとき、または、第２の呼出信号ＣＩ２に応答がないまま、発呼元が呼を切断してきたときに、処理を終了し、先頭に戻る。
【００４１】
以上がアダプタ装置１の動作である。
【００４２】
次に、上記実施例におけるファクシミリ装置側の動作について説明する。
【００４３】
図４は、上記実施例におけるファクシミリ装置２側の動作を示すフローチャートである。
【００４４】
Ｓ４０１では、第１の呼出信号ＣＩ１をチェックする。ここで、第１の呼出信号ＣＩ１を検出した場合に、ステップＳ４０８に進む。上記のように、上記実施例では、Ｆ網の無鳴動呼出信号、すなわち１３００Ｈｚのトーンを想定している。この無鳴動呼出信号は、ファクシミリ通信専用のものであるので、ファクシミリ装置２は、無条件でＦＡＸ通信を開始する。
【００４５】
なお、第１の呼出信号ＣＩ１として、ダブルリングを使用する場合、装置としては、それが通常の呼出信号とは異なることを認識できたとしても、ファクシミリ通信のための信号であることを判断できない。
【００４６】
よって、上記ダブルリングを受信した場合、無条件でＦＡＸ通信を行うように、ファクシミリ装置２を予め設定する。呼出信号の波形によって着信後の動作を切り替える制御自体は、公知の技術であるので、ここでは詳述はしないが、この設定を行うことによって、上記ダブルリングも、１３００Ｈｚのトーンと同様に、ファクシミリ通信専用の呼出信号として使用可能である。
【００４７】
第１の呼出信号ＣＩ１を検出しないと（Ｓ４０１）、第２の呼出信号ＣＩ２をチェックする（Ｓ４０２）。第２の呼出信号ＣＩ２は、ＰＳＴＮで通常に使用されるものと同等の呼出信号である。
【００４８】
第２の呼出信号ＣＩ２も検出できないと（Ｓ４０２）、ステップＳ４０１に戻り、処理を繰り返す。
【００４９】
第２の呼出信号ＣＩ２を検出した場合（Ｓ４０２）、ファクシミリ装置２の動作モードを調べる（Ｓ４０３）。第２の呼出信号ＣＩ２を受信した場合、着信が通話のためのものか、またはＦＡＸ通信のためのものであるかを判別できないので、このケースでは、装置の設定に従って動作するためのである。
【００５０】
ＦＡＸモードである場合（Ｓ４０３）、ＦＡＸ通信を開始する（Ｓ４０８）。
【００５１】
ＦＡＸモードでなかった場合（Ｓ４０３）、ＴＥＬモードであるか否かを調べる（Ｓ４０４）。ＴＥＬモードであれば（Ｓ４０４）、通話を開始する（Ｓ４０７）。
【００５２】
ＴＥＬモードでもなければ（Ｓ４０４）、ＦＡＸ／ＴＥＬ自動切り替えを実行する（Ｓ４０５）。この機能は、公知であるので、詳述はしないが、ファクシミリ装置２は、回線を捕捉し、相手先からの信号を監視する。このときに、適宜音声による応答や擬似リングバックトーンの送出を行ってもよい。所定の時間内に、相手機からのＣＮＧ信号、すなわち１１００Ｈｚのトーンを検出すれば、相手機は、自動発呼機能を備えた装置であるので、ＦＡＸ通信を開始する（Ｓ４０８）。
【００５３】
ここで、ＣＮＧを検出できなければ、相手は人間である可能性が高いので、通話を開始する（Ｓ４０７）。
【００５４】
Ｓ４０７では、オペレータが電話機３をオフフックし、その後にオンフックするか、またはオペレータが応答する前に、発呼元が回線を開放した場合に、処理を終了し、先頭に戻る。
【００５５】
ＦＡＸ通信（Ｓ４０８）は、公知の技術であるので、ここでは詳述はしない。ＦＡＸ通信が正常／異常を問わず終了したら、先頭に戻る。
【００５６】
以上がファクシミリ装置２側の処理である。
【００５７】
上記実施例によれば、ＩＰ網６から、明らかにＦＡＸ通信であると判別することができる着信を人間が受けたり、逆に、明らかに通話であると判別することができる着信をファクシミリ装置２が受けることを阻止しつつ、通話であるかＦＡＸであるかを判別できない着信については、ＦＡＸの設定に従って、電話優先、ＦＡＸ優先、ＦＡＸ／ＴＥＬ自動切り替えを行うことが可能になる。
【００５８】
また、上記実施例で使用するファクシミリ装置２は、特別な仕様を追加する必要がなく、市販の一般的なファクシミリ装置２を使用することができるので、機種を自由に選択することができ、低価格で容易に入手可能である。
【００５９】
つまり、上記実施例は、アダプタからファクシミリ装置を呼び出す呼出信号の形式を変えることによって、着信がファクシミリ通信のためのものであるか通話のためのものであるかを通知し、ファクシミリ装置側で適切な対処を可能としたものである。
【００６０】
ここで使用される呼び出し信号の１つは、ＰＳＴＮ網で使用されるのと同等のものであり、日本であれば、１ｓＯＮ−２ｓＯＦＦの繰り返しのシングルリングと呼ばれる形式のものである。
【００６１】
ここで使用される呼び出し信号のもう１つは、前者と明確に区別可能な形式の信号であり、たとえばＦ網の無鳴動着信サービスで使用されるＦＣと呼ばれる１３００Ｈｚのトーンや、０．３ｓＯＮ−０．３ｓ−ＯＦＦ−０．３ｓＯＮ−２ｓＯＦＦの繰り返しのダブルリングと呼ばれる形式のものである。
【００６２】
前者のＦＣに関しては、日本においてＦ網に対応しているファクシミリ装置の多くが対応している。また後者のダブルリングは、日本でもなりわけサービスとして使われ、ＵＳＡではＤＲＰＤサービスとして使用されているので、両者の違いを認識し、それに応じて動作を選択出来るファクシミリ装置がメーカーを問わず存在している。
【００６３】
よって、アダプタの側でＦＡＸ通信のための着信を認識して、これらの呼出信号により区別して起動を行えば、多くのファクシミ装置が着信に応じた対処が可能である。
【００６４】
【発明の効果】
本発明によれば、ＶｏＩＰの音声通話と、ＦｏＩＰのＦＡＸ通信とが混在している場合、ごく普通のＦＡＸや電話機を使っても、適切に処理することができるという効果を奏する。
【図面の簡単な説明】
【図１】本発明の一実施例であるインターネットファクシミリ通信システム１００の構成を示すブロック図である。
【図２】上記実施例で使用する呼出信号の形式の説明図である。
【図３】上記実施例におけるアダプタ装置１の動作を示すフローチャートである。
【図４】上記実施例におけるファクシミリ装置２側の動作を示すフローチャートである。
【符号の説明】
１００…インターネットファクシミリ通信システム、
１…インターネットファクシミリアダプタ装置、
２…ファクシミリ装置、
３…電話機、
４…ＰＣ、
５…局交換機、
６…ＩＰ網。
【図１】
0003595789.tif 000002
【図２】
0003595789.tif 000003
【図３】
0003595789.tif 000004
【図４】
0003595789.tif 000005